(57)【要約】【課題】風速の低下する吹出し口長手方向両端での風速を速くすることで、結露を防止する。【解決手段】天板および側板からなる筐体と、前記筐体の下側において中央側に吸込み口、該吸込み口の外周側に吹出し口を設けたパネルと、前記筐体の内部に配置されたモータと、該モータの回転軸に締結された遠心送風機と、該遠心送風機の外周側に配置された熱交換器と、該熱交換器の下側に配置された水受けと、を設けた空気調和機の室内機において、前記熱交換器の外周側と前記側板との間に形成される流路を、前記吹出し口に対応する位置において、かつ、前記吹出し口の短手方向に沿って仕切る仕切り板を設けた。【選択図】図１
2015158318.tif 000002
【特許請求の範囲】
【請求項１】
天板および側板からなる筐体と、
前記筐体の下側において中央側に吸込み口、該吸込み口の外周側に吹出し口を設けたパネルと、
前記筐体の内部に配置されたモータと、
該モータの回転軸に締結された遠心送風機と、
該遠心送風機の外周側に配置された熱交換器と、
該熱交換器の下側に配置された水受けと、を設けた空気調和機の室内機において、
前記熱交換器の外周側と前記側板との間に形成される流路を、前記吹出し口に対応する位置において、かつ、前記吹出し口の短手方向に沿って仕切る仕切り板を設けたことを特徴とする空気調和機。
【請求項２】
前記仕切り板は、熱交換器とは接触しないように取り付けられることを特徴とする請求項１に記載の空気調和機。
【請求項３】
前記仕切り板は、前記天板側から前記吹出し口側に向かって傾斜するように構成されることを特徴とする請求項１又は２に記載の空気調和機。
【請求項４】
前記天板側から前記吹出し口側に向かった傾斜の角度を調整できる角度調整機構が設けられたことを特徴とする請求項３に記載の空気調和機。
【請求項５】
前記仕切り板は、前記側板を構成する断熱材により構成されることを特徴とする請求項１又は２に記載の空気調和機。
【発明の詳細な説明】
【技術分野】
【０００１】
本発明は、複数の吹出口を有する空気調和機の室内機に関する。
【背景技術】
【０００２】
空気調和機には室内機に複数の吹出口があるものがある。例えば、個人宅やオフィスビルなどの天井に埋め込まれ、複数の吹出口から異なる方向に冷風や温風を送る埋め込み型の室内機が利用されている。この種の室内機には吹出し口近傍での露付きを防止するための様々な工夫がなされている（特許文献１、２、３参照）。
【０００３】
特許文献１では、吹出し口の長手方向における端部は中央部より空気の風路を拡大する凹部が設けられており、凹部は空気の上流側よりも下流側の方が吹出し口の長手方向における幅が小さく、壁面の端部の空気の上流側の端辺が吹出し口の長手方向の端に向かうにつれて、壁面の中央部の方向へ傾斜させることで、長手方向端部から吹出される空気の速度を大きくすることで結露を防止している。
【０００４】
また、特許文献２では、吹出し口の長手方向の長さを内側より外側が長くなるように構成することで、速度勾配により生じる乱れや剥離が抑制でき、吹出し口近傍の結露を防止している。
【０００５】
さらに、特許文献３では、吹出し口を部分的に塞ぐ閉鎖部材を設け、閉鎖部材の両側の開口に冷風を分かれて流れさせ風向羽根の端部の結露を防止している。
【先行技術文献】
【特許文献】
【０００６】
【特許文献１】特許第５２４７７８４号
【特許文献２】特許第４９８０４４０号
【特許文献３】特許第３２４０９７７号
【発明の概要】
【発明が解決しようとする課題】
【０００７】
吹出し口が複数ある室内機においては、各吹出し口で風速分布が異なり、また、一つの吹出し口の中でも長手方向の風速分布が均一ではなく、左右対称でもない。よって、上述した特許文献１、２、３のように各吹出し口近傍だけで流れを制御するだけでは、ある吹出し口では効果があるが、別の吹出し口では効果が得られない場合がある。
【０００８】
そこで本発明は、風速の低下する吹出し口長手方向両端での風速を速くすることで、結露を防止することを目的とする。
【課題を解決するための手段】
【０００９】
上記目的を達成するために、本発明は、
「天板および側板からなる筐体と、
前記筐体の下側において中央側に吸込み口、該吸込み口の外周側に吹出し口を設けたパネルと、
前記筐体の内部に配置されたモータと、
該モータの回転軸に締結された遠心送風機と、
該遠心送風機の外周側に配置された熱交換器と、
該熱交換器の下側に配置された水受けと、を設けた空気調和機の室内機において、
前記熱交換器の外周側と前記側板との間に形成される流路を、前記吹出し口に対応する位置において、かつ、前記吹出し口の短手方向に沿って仕切る仕切り板を設けたこと」を特徴とする。
【発明の効果】
【００１０】
上記した本発明の空気調和機の室内機によれば、特に風速の低下する吹出し口長手方向両端での風速を速くすることが可能となるので、結露を防止することが可能となる。本発明のその他の構成、作用、効果については、以下の実施例において詳細に説明する。
【図面の簡単な説明】
【００１１】
【図１】本発明の実施例における室内機を天板側から見た時の風の流れ方向を示した図である。
【図２】本発明の実施例における室内機を側面から見た時の風の流れ方向を示した図である。
【図３】従来の室内機を天板側から見た時の風の流れ方向を示した図である。
【図４】従来の室内機を側面から見た時の風の流れ方向を示した図である。
【図５】従来の室内機の断面図である。
【図６】冷房時を想定した仕切り板を傾斜させた場合の風の流れ方向を示した図である。
【図７】暖房時を想定した仕切り板を傾斜させた場合の風の流れ方向を示した図である。
【発明を実施するための形態】
【００１２】
以下、本発明の空気調和機の実施例について、図面に基づいて説明する。  
図５は本実施例の室内機２０の断面図を示しており、室内機２０の筺体は、天板１１と該天板１１の周縁部から下方に向かって配置された側板１２により構成される。また筺体内部には、前記天板１１の略中央部にファンモータ２４が配置され、前記ファンモータ２４のシャフト（回転軸）に遠心送風機２３が締結され、ファンモータ２４が駆動することでシャフトを介して遠心送風機２３が回転駆動する。そして遠心送風機２３の下側には室内空気を遠心送風機２３に案内するためのベルマウス２５、遠心送風機２３の外周側には熱交換器２１、熱交換器２１の下側にはドレンパン２６（水受け）が配置されている。
【００１３】
また、室内機２０の下方には中央部に吸込みグリル８１、吸込みグリル８１の外周部に吹出し口８２を有し、吹出し口８２には風向を制御する風向板８３を有する化粧パネル８が配置されている。この化粧パネル８は天井板９に固定されている。
【００１４】
次に図３および図４により冷房時の空気の流れについて説明する。室内機２０は室外機（図示せず）とガス冷媒配管２と液冷媒配管３により接続される。冷房運転時は液冷媒配管３から液冷媒が室内機２０に流入し、熱交換器２１において、遠心送風機２３により室内から化粧パネル８の吸込みグリル８１、ベルマウス２６を介して吸込まれた空気と流入した冷媒とで熱交換を行う。熱交換後の空気は、熱交換器２１の外周側と側板１２との間に形成された流路を通り、化粧パネル８の吹出し口８２から室内に吹出される。この際、室内の暖かい空気と熱交換された冷たい空気が吹出し口８２の近傍で混ざり合うため結露を生じやすくなる。
【００１５】
特に吹出し口８２の両端は図３および図４に示すように、略ロ形に形成された熱交換器２１のＲ部（曲げ部）から流れ出てきた風は、直下に吹出し口８２が無いため、熱交換器２１の直線部直下にある吹出し口８２の方向に向かい、熱交換器２１の直線部から吹出してきた風を吹出し口８２の中央部方向に向けてしまう。結果、吹出し口８２の両端部の風速が低下してしまい結露が生じやすくなる。
【００１６】
このような問題に対し、いろいろな対応策が行われているが、いずれも吹出し口８２の近傍での対応策のため、流れの方向を確実に変更することは困難である。すなわち、各吹出し口毎の風速分布が異なっているため、各吹出し口近傍だけで流れを制御するだけでは、ある吹出し口では効果があるが、別の吹出し口では効果が得られないことがあり、結露対策としては不十分である。
【００１７】
そこで、本発明によれば、図１および図２に示すように、熱交換器２１の外周側と側板１２との間に形成される流路３２を、吹出し口８２に対応する位置において、かつ、吹出し口８２の短手方向に沿って仕切る仕切り板３１を設けた。この仕切り板３１を設けることにより、略ロ形に形成された熱交換器２１のＲ部（曲げ部）から流れ出てきた風により、吹出し口８２の中央部方向に向かってしまう風の方向を垂直方向にすることができ、吹出し口８２の両端部の風速の低下を防止することが可能になるため、結露を防止することができる。
【００１８】
また熱交換器２１の外周と側板１２間の流路での風速分布は、側板１２側の風速が早くなるため、仕切り板３１は、側板１２とは密着している必要がある。更に、冷房時は、熱交換器２１は結露を生じており、仕切り板３１は熱交換器２１に接触していると結露水が仕切り板３１を介し吹出し口８２から落下してしまう可能性があるため、隙間を設ける必要がある。すなわち、本実施例の仕切り板３１は、熱交換器２１とは接触しないように取り付けられるようにするものである。
【００１９】
また、図６に示すように仕切り板３１を傾斜させることで、さらに吹出し口８２の両端側の風速を早くすることができるため、結露防止の効果が向上すると共に、より広範囲に風を吹出すことができるため、快適性も向上する。すなわち、仕切り板３１は、天板１１の側から吹出し口８２の側に向かって傾斜するように構成される。
【００２０】
更に、仕切り板３１は、回転支点３０を設け任意に回転できる構成とすることで、天板側から前記吹出し口側に向かった仕切り板３１の傾斜の角度を調整できる角度調整機構が設けられることが望ましい。例えば、冷房時は前述の図６に示したように、吹出し口８２の両端側の風速が早くなる方向に傾斜させ、暖房時は、図７に示す方向に仕切り板３１を傾斜させる。これにより、各吹出し口８２毎に中央部の風速を増加させ、温風到達距離を向上することが可能となり、快適性の向上を図ることができる。
【００２１】
また、側板１２の内壁には結露防止のために断熱材が設けられている。一般的には発泡樹脂が用いられているため、仕切り板３１は前述の側板１２の断熱材で構成することで、安価に形成できる。
【符号の説明】
【００２２】
１：配管部、２：ガス冷媒配管、３：液冷媒配管、８：化粧パネル、１１：天板、１２：側板、２０：室内機、２１：熱交換器、２３：遠心送風機、２４：モータ、３０：仕切り板回転支点、３１：仕切り板、３２：熱交換器外周と側板間流路、８１：吸込みグリル、８２：吹出し口、８３：風向板。
【図１】
2015158318.tif 000003
【図２】
2015158318.tif 000004
【図３】
2015158318.tif 000005
【図４】
2015158318.tif 000006
【図５】
2015158318.tif 000007
【図６】
2015158318.tif 000008
【図７】
2015158318.tif 000009